(57)【要約】【課題】空調風の吹き出し方向を２方向に容易に設定することのできる車両用空気吹き出し装置を提供する。【解決手段】車両用空気吹き出し装置１０は、通風路Ｘを囲むケーシング１１と、通風路Ｘ内に配置される複数のフラップ１２ａ〜１２ｃとを備える。ケーシング１１のコアンダ壁１１ｃ側に設けられるフラップ１２ｂ，１２ｃは、吹き出しモードがデフロストモードとは異なる別モードに設定されている場合、空調風をコアンダ壁１１ｃに導く。ケーシング１１の前側壁１１ｂ側に設けられるフラップ１２ａは、吹き出しモードが別モードに設定されている場合、空調風を前側壁１１ｂに導く。コアンダ壁１１ｃには、フラップ１２ｂ，１２ｃを通過する空調風をコアンダ効果により沿わせて曲げるコアンダ面１１ｅが形成されている。【選択図】図３
2017149302.tif 000002
【特許請求の範囲】
【請求項１】
車両用空調装置（２０）から吹き出される空調風を吹出口（１１ａ）を介して車室内に導く通風路（Ｘ）を囲むケーシング（１１）と、
前記通風路内に配置される複数のフラップ（１２ａ，１２ｂ，１２ｃ）と、を備え、
空調風の吹き出しモードには、空調風を前記吹出口を介してフロントガラス（２）に吹き出すデフロストモードと、前記デフロストモードとは異なる態様で空調風を吹き出す別モードとが含まれ、
前記複数のフラップのうち、前記ケーシングの一側壁（１１ｃ）側に設けられる第１フラップ（１２ｂ，１２ｃ）は、前記吹き出しモードが前記別モードに設定されている場合、空調風を前記一側壁に導き、
前記複数のフラップのうち、前記ケーシングの前記一側壁とは反対の他側壁（１１ｂ）側に設けられる第２フラップ（１２ａ）は、前記吹き出しモードが前記別モードに設定されている場合、空調風を前記他側壁に導き、
前記一側壁には、前記第１フラップを通過する空調風をコアンダ効果により沿わせて曲げるコアンダ面（１１ｅ）が形成されている
車両用空気吹き出し装置。
【請求項２】
前記第２フラップは、空調風を前記他側壁に導く状態で固定されている
請求項１に記載の車両用空気吹き出し装置。
【請求項３】
前記第２フラップは、その位置又は姿勢を変更可能に形成されている
請求項１に記載の車両用空気吹き出し装置。
【請求項４】
前記第１フラップを構成するフラップの数は、前記第２フラップを構成するフラップの数よりも多い
請求項１〜３のいずれか一項に記載の車両用空気吹き出し装置。
【請求項５】
前記複数のフラップには、前記第１フラップ（１２ｃ）と前記第２フラップ（１２ａ）との間に配置される第３フラップ（１２ｂ）が更に含まれ、
前記第３フラップは、前記吹き出しモードが前記別モードに設定されている場合、前記第１フラップ及び前記第２フラップとは異なる態様で動作する
請求項１〜４のいずれか一項に記載の車両用空気吹き出し装置。
【請求項６】
前記別モードは、前記車両の前席乗員の上半身に向けて空調風を吹き出すとともに、その空調風の風量よりも少ない風量の空調風を前記フロントガラスに向けて吹き出すフェイスモードであり、
前記吹き出しモードが前記デフロストモードに設定されている場合、前記第１フラップ及び前記第２フラップは、通風路内の空調風の流れ方向に平行な姿勢となり、
前記吹き出しモードが前記フェイスモードに設定されている場合、前記第１フラップは、空調風が前記一側壁に導かれるように前記通風路内の空調風の流れ方向に対して傾斜した姿勢となるとともに、前記第２フラップは、空調風が前記他側壁に導かれるように前記通風路内の空調風の流れ方向に対して傾斜した姿勢となる
請求項１〜５のいずれか一項に記載の車両用空気吹き出し装置。
【請求項７】
前記フェイスモードを第１フェイスモードとするとき、
前記吹き出しモードには、空調風を前記車両の前席乗員の上半身のみに向けて吹き出す第２フェイスモードが更に含まれ、
前記吹き出しモードが前記第２フェイスモードに設定されている場合、前記第１フラップ及び前記第２フラップは、空調風が前記一側壁に導かれるように前記通風路内の空調風の流れ方向に対して傾斜した姿勢となる
請求項６に記載の車両用空気吹き出し装置。
【発明の詳細な説明】
【技術分野】
【０００１】
本発明は、車両用空気吹き出し装置に関する。
【背景技術】
【０００２】
特許文献１には、車両用空調装置により生成される空調風を車室内に導く車両用空気吹き出し装置が開示されている。空調風は、車室内を空調するための空気風である。この車両用空気吹き出し装置は、通風路を内部に有するケーシングと、通風路に配置されるフラップとを備えている。通風路は、インストルメントパネルの上面に形成された吹出口を介して空調風を車室内に導く通路である。通風路は、車両の上下方向に延びるように形成されている。吹出口は、インストルメントパネルの上面のフロントガラス側に設けられている。通風路におけるフラップが配置される通風部分は、フラップにより、車両後方側に位置する後方側通風部分と、車両前方側に位置する前方側通風部分とに区画されている。後方側通風部分の壁面は、ケーシングに形成された湾曲面を介してインストルメントパネルの上面に滑らかに繋がっている。フラップは、車両前後方向にスライド移動可能となっている。
【０００３】
特許文献１に記載の車両用空気吹き出し装置では、フラップを車両前後方向に移動させることにより、デフロストモードと、フェイスモードとを切り替え可能となっている。デフロストモードは、空調風をフロントガラス２に吹き出すモードである。フェイスモードは、車両乗員の顔に向けて空調風を吹き出すモードである。
【０００４】
具体的には、特許文献１に記載の車両用空気吹き出し装置は、車両用空調装置の吹き出しモードがデフロストモードに設定されている場合、フラップを車両前方に移動させることにより、前方側通風部分の流路断面積を後方側通風部分の流路断面積よりも小さくする。これにより、前方側通風部分の気流の流速が後方側通風部分の気流の流速よりも速くなるため、高速の気流が前方側通風部分に沿って上向きに流れる。その結果、空調風をフロントガラスに向かって吹き出すことができる。
【０００５】
また、特許文献１に記載の車両用空気吹き出し装置は、車両用空調装置の吹き出しモードがフェイスモードに設定されている場合、フラップを車両後方側に移動させることにより、後方側通風部分の流路断面積を前方側通風部分の流路断面積よりも小さくする。これにより、後方側通風部分の気流の流速が前方側通風部分の気流の流速よりも速くなるため、高速の気流が後方側通風部分を流れる。この高速の気流は、コアンダ効果により湾曲面に沿って流れることで、車両後方側に曲げられる。その結果、車両乗員の顔に向けて空調風を吹き出すことができる。
【先行技術文献】
【特許文献】
【０００６】
【特許文献１】特開２０１４−２１０５６４号公報
【発明の概要】
【発明が解決しようとする課題】
【０００７】
ところで、車両用空気吹き出し装置では、吹き出しモードがフェイスモードに設定されている際にフロントガラスに向けて少量の空調風を吹き出す、いわゆるデフ漏らしを行いたいという要望がある。この点、特許文献１に記載の車両用空気吹き出し装置では、フラップのスライド移動によりフェイスモードに設定された場合、フラップを通過した空調風はコアンダ効果により車両後方側に曲げられてしまう。そのため、フェイスモード時にデフ漏らしを実現することが難しいという実情がある。
【０００８】
なお、このような課題は、フェイスモードに限らず、空調風の吹き出し方向が２方向に設定された吹き出しモードを有する車両用空気吹き出し装置に共通する課題である。
【０００９】
本発明は、こうした実情に鑑みてなされたものであり、その目的は、空調風の吹き出し方向を２方向に容易に設定することのできる車両用空気吹き出し装置を提供することにある。
【課題を解決するための手段】
【００１０】
上記課題を解決する車両用空気吹き出し装置（１０）は、車両用空調装置（２０）から吹き出される空調風を吹出口（１１ａ）を介して車室内に導く通風路（Ｘ）を囲むケーシング（１１）と、通風路内に配置される複数のフラップ（１２ａ，１２ｂ，１２ｃ）と、を備える。空調風の吹き出しモードには、空調風を吹出口を介してフロントガラス（２）に吹き出すデフロストモードと、デフロストモードとは異なる態様で空調風を吹き出す別モードとが含まれる。複数のフラップのうち、ケーシングの一側壁（１１ｃ）側に設けられる第１フラップ（１２ｂ，１２ｃ）は、吹き出しモードが別モードに設定されている場合、空調風を一側壁に導く。複数のフラップのうち、ケーシングの一側壁とは反対の他側壁（１１ｂ）側に設けられる第２フラップ（１２ａ）は、吹き出しモードが別モードに設定されている場合、空調風を他側壁に導く。一側壁には、第１フラップを通過する空調風をコアンダ効果により沿わせて曲げるコアンダ面（１１ｅ）が形成されている。
【００１１】
この構成によれば、第１フラップを通過した空調風はケーシングの一側壁のコアンダ面に沿って流れる。また、第２フラップを通過した空調風はケーシングの他側壁に沿って流れる。よって、空調風の吹き出し方向を、コアンダ面に沿った方向と、ケーシングの他側壁に沿った方向の２方向に容易に設定することができる。
【００１２】
なお、上記手段、及び特許請求の範囲に記載の括弧内の符号は、後述する実施形態に記載の具体的手段との対応関係を示す一例である。
【発明の効果】
【００１３】
本発明によれば、空調風の吹き出し方向を２方向に容易に設定することができる。
【図面の簡単な説明】
【００１４】
【図１】実施形態の車両用空気吹き出し装置の断面構造を車両用空調装置の断面構造と共に示す断面図である。
【図２】実施形態の車両用空調装置の構造を模式的に示す模式図である。
【図３】実施形態の車両用空気吹き出し装置における第１フェイスモード時のフラップ周辺の拡大断面構造を示す断面図である。
【図４】実施形態の車両用空気吹き出し装置の電気的な構成を示すブロック図である。
【図５】実施形態の車両用空気吹き出し装置におけるデフロストモード時のフラップ周辺の拡大断面構造を示す断面図である。
【図６】実施形態の車両用空気吹き出し装置における第２フェイスモード時のフラップ周辺の拡大断面構造を示す断面図である。
【図７】他の実施形態の車両用空気吹き出し装置における第１フェイスモード時のフラップ周辺の拡大断面構造を示す断面図である。
【図８】他の実施形態の車両用空気吹き出し装置におけるデフロストモード時のフラップ周辺の拡大断面構造を示す断面図である。
【発明を実施するための形態】
【００１５】
以下、添付図面を参照しながら本発明の実施形態について説明する。説明の理解を容易にするため、各図面において同一の構成要素に対しては可能な限り同一の符号を付して、重複する説明は省略する。
【００１６】
図１に示されるように、車両用空気吹き出し装置１０は、車両に搭載され、車両用空調装置２０の空調ケース２１から吹き出される空調風を吹出口１１ａを介して車室内に導く装置である。吹出口１１ａは、インストルメントパネル１の上面１ａにおいて車両上方に向けて開口している。なお、本実施形態に係る車両用空気吹き出し装置１０と同様の構成のものは、一般に「ハイブリッドデフ装置」とも呼ばれる。
【００１７】
車両用空調装置２０は、車室内の前席の前方に配置されたインストルメントパネル１の内部に配置されている。図２に示されるように、車両用空調装置２０は、外殻を構成する空調ケース２１を有している。この空調ケース２１は、空調対象空間である車室内へ空気を導く空気通路を構成している。空調ケース２１の空気流れ最上流部には、車室内空気（内気）を吸入する内気吸入口２２と、車室外空気（外気）を吸入する外気吸入口２３とが形成されると共に、各吸入口２２、２３を選択的に開閉する吸入口開閉ドア２４が設けられている。これら内気吸入口２２、外気吸入口２３、及び吸入口開閉ドア２４は、空調ケース２１内への吸入空気を内気及び外気に切り替える内外気切替手段を構成している。なお、吸入口開閉ドア２４は、図示しない車両用空調装置２０の制御装置から出力される制御信号により、その作動が制御される。吸入口開閉ドア２４の空気流れ下流側には、車室内へ空気を送風する送風手段としての送風機２５が配置されている。
【００１８】
送風機２５の空気流れ下流側には、送風機２５により送風された空調風を冷却する蒸発器２６が配置されている。蒸発器２６は、その内部を流通する冷媒と空調風とを熱交換させる熱交換器であり、図示しない圧縮機、凝縮器、膨張弁等と共に蒸気圧縮式の冷凍サイクルを構成するものである。
【００１９】
蒸発器２６の空気流れ下流側には、蒸発器２６にて冷却された空気を加熱するヒータコア２７が配置されている。本実施形態のヒータコア２７は、車両エンジンの冷却水を熱源として空気を加熱する熱交換器である。また、蒸発器２６の空気流れ下流側には、蒸発器２６通過後の空気を、ヒータコア２７を迂回して流す冷風バイパス通路２８が形成されている。
【００２０】
ここで、ヒータコア２７及び冷風バイパス通路２８の空気流れ下流側にて混合される空調風の温度は、ヒータコア２７を通過する空調風及び冷風バイパス通路２８を通過する空調風の風量割合によって変化する。
【００２１】
このため、蒸発器２６の空気流れ下流側であって、ヒータコア２７及び冷風バイパス通路２８の入口側には、エアミックスドア２９が配置されている。このエアミックスドア２９は、ヒータコア２７及び冷風バイパス通路２８へ流入する冷風の風量割合を連続的に変化させるもので、蒸発器２６及びヒータコア２７と共に温度調整手段として機能する。エアミックスドア２９は、車両用空調装置２０の制御装置から出力される制御信号によってその作動が制御される。
【００２２】
空調ケース２１の空気流れ最下流部には、デフロスタ／フェイス開口部３０及びフット開口部３１が設けられている。デフロスタ／フェイス開口部３０は、車両用空気吹き出し装置１０を介して、インストルメントパネル１の上面１ａに設けられた吹出口１１ａに連通している。フット開口部３１は、フットダクト３２を介して、フット吹出口３３に連通している。
【００２３】
吹出口１１ａは、デフロストモード、第１フェイスモード、及び第２フェイスモードの３つの空調風の吹き出しモードにおいてケーシング１１から導かれた空調風を吹き出す吹出口である。ここで、デフロストモードは、空調風を吹出口１１ａを介してフロントガラス２に吹き出し、フロントガラス２の曇りを晴らす吹き出しモードである。第１フェイスモードは、空調風を車両の前席乗員の上半身に向けて吹き出すとともに、その空調風の風量よりも少ない風量の空調風をフロントガラス２に向けて吹き出す吹き出しモードである。すなわち、第１フェイスモードは、デフ漏らし機能を有するフェイスモードである。第２フェイスモードは、空調風を車両の前席乗員の上半身のみに向けて吹き出す吹き出しモードである。すなわち、第２フェイスモードは、デフ漏らし機能の無いフェイスモードである。
【００２４】
吹出口１１ａは、車幅方向に細長く延びた形状であり、運転席の正面及び助手席の正面にわたって配置されている。なお、吹出口１１ａの車幅方向長さ及び上面１ａにおける配置場所は任意に変更可能である。
【００２５】
そして、上記各開口部３０、３１の空気流れ上流側には、デフロスタ／フェイス開口部３０を開閉するデフロスタ／フェイスドア３４と、フット開口部３１を開閉するフットドア３５とが配置されている。デフロスタ／フェイスドア３４及びフットドア３５は、車室内への空気の吹出状態を切り替える吹出モードドアである。
【００２６】
図１に示されるように、車両用空気吹き出し装置１０は、インストルメントパネル１内に配置され、デフロスタ／フェイス開口部３０と連通することで、デフロスタ／フェイス開口部３０から吹き出された空調風を車室内に導くようになっている。
【００２７】
次に、車両用空気吹き出し装置１０の構成について説明する。図１に示されるように、車両用空気吹き出し装置１０は、ケーシング１１と、フラップ１２ａ〜１２ｃと、ルーバ１３と、駆動機構１４とを有している。以下では、上、下、右、左、前、後と単に記載するものは、車両を基準とした上、下、右、左、前、後をいう。
【００２８】
ケーシング１１は、車両上下方向に延びる無底四角筒状のダクトである。詳しくは、ケーシング１１は、前方側に位置する前側壁１１ｂ、車両後方側に位置するコアンダ壁１１ｃ、車両右方向に位置する右側壁１１ｄ、及び図示しない車両左方向に位置する左側壁を有している。本実施形態では、コアンダ壁１１ｃが一側壁に相当する。また、前側壁１１ｂが、コアンダ壁１１ｃとは反対の他側壁に相当する。ケーシング１１により囲まれる空間は、デフロスタ／フェイス開口部３０から吹き出された空調風を吹出口１１ａを介して車室内に導く通風路Ｘを構成している。
【００２９】
図３に示されるように、通風路Ｘには、車両上下方向に平行な方向Ｓに空調風が流れている。以下、方向Ｓを「空調風の流れ方向」と称する。通風路Ｘには、フラップ１２ａ〜１２ｃ、ルーバ１３等が配置されている。
【００３０】
コアンダ壁１１ｃは、上方に延びるにつれて緩やかに車両後方側に曲がるコアンダ面１１ｅを通風路Ｘ側に形成する壁である。ケーシング１１の下方端は、上述のデフロスタ／フェイス開口部３０と接続され、上方端は吹出口１１ａとなっている。
【００３１】
フラップ１２ａ、フラップ１２ｂ、及びフラップ１２ｃは、この順で車両前方から車両後方に向けて所定の間隔を有して並べて配置されている。各フラップ１２ａ〜１２ｃは、羽形状の部材である。駆動機構１４が、この各フラップ１２ａ〜１２ｃを駆動して各フラップ１２ａ〜１２ｃの傾斜角度（姿勢の一例に相当する）を変化させることで、吹き出しモードを切り替えることができる。なお、傾斜角度は、図中に示されるように、各フラップ１２ａ〜１２ｃが通風路Ｘ内の空調風の流れ方向Ｓに対してなす傾斜角度θ１〜θ３である。
【００３２】
各フラップ１２ａ〜１２ｃは、２枚の板部材を有している。フラップ１２ａ〜１２ｃの各板部材は、フラップシャフト１５ａ〜１５ｃにそれぞれ固定され、フラップシャフト１５ａ〜１５ｃを中心として互いに対称的に延びている。フラップ１２ａ〜１２ｃの各板部材は、ケーシング１１の内部の通風路Ｘにおいて、フラップシャフト１５ａ〜１５ｃの長手方向の殆どの部分から、フラップシャフト１５ａ〜１５ｃの回転中心から離れるように、延びている。このように構成された各フラップ１２ａ〜１２ｃは、フラップシャフト１５ａ〜１５ｃと同軸かつ一体的に左右方向を軸として回転する。本実施形態では、フラップ１２ｂ，１２ｃが、ケーシング１１のコアンダ壁１１ｃ側に設けられる第１フラップに相当する。また、フラップ１２ａが、ケーシング１１の前側壁１１ｂ側に設けられる第２フラップに相当する。
【００３３】
フラップシャフト１５ａ〜１５ｃは、ケーシング１１を左右方向に真っ直ぐ貫通する位置に配置され、一端がケーシング１１の右側壁１１ｄに軸支され、他端がケーシング１１の図示しない左側壁に軸支されている。フラップシャフト１５ａ〜１５ｃは、駆動機構１４から伝達される動力に基づき回転する。フラップシャフト１５ａ〜１５ｃの回転に基づいてフラップ１２ａ〜１２ｃがそれぞれ回転する。
【００３４】
ルーバ１３は、通風路Ｘにおいて吹出口１１ａの長手方向に、すなわち車両左右方向に一連に並んで複数配置され、吹出口１１ａの長手方向における空調風の送風量分布を調整するために駆動機構１４によって駆動される。
【００３５】
ルーバ１３は、２枚の平板部材を有し、それら板部材の各々は、複数のルーバ１３にそれぞれ対応するルーバシャフト１６に固定され、ルーバシャフト１６を中心として互いに対称的に延びている。これら２枚の板部材は、ケーシング１１の内部の通風路Ｘにおいて、ルーバシャフト１６の長手方向の殆どの部分から、ルーバシャフト１６の回転中心から離れるように、延びている。このように構成された各ルーバ１３は、ルーバシャフト１６と同軸かつ一体的に前後方向を軸として回転する。
【００３６】
ルーバシャフト１６は、前後方向に真っ直ぐ延びる棒形状の部材である。また、ルーバシャフト１６は、その前端側がケーシング１１の前側壁１１ｂを貫通して前側壁１１ｂに軸支されると共に、その後端側がコアンダ壁１１ｃに軸支される。そして、ルーバシャフト１６は、フラップシャフト１５ａ〜１５ｃ及びフラップ１２ａ〜１２ｃよりも下方に位置する。ルーバシャフト１６は、駆動機構１４から伝達される動力に基づき回転する。
【００３７】
次に、フラップ１２ａ〜１２ｃを回転させるための構成について説明する。以下では、便宜上、ルーバ１３を回転させるための構成についてはその説明を割愛する。
【００３８】
図４に示されるように、駆動機構１４は、リンク機構１４ａと、モータ１４ｂとを備えている。リンク機構１４ａは、フラップシャフト１５ａ〜１５ｃにそれぞれ接続されている。リンク機構１４ａは、モータ１４ｂから伝達される動力をフラップシャフト１５ａ〜１５ｃに伝達することにより、フラップシャフト１５ａ〜１５ｃを個別に回転させる。これにより、フラップ１２ａ〜１２ｃのそれぞれの姿勢が個別に変化する。
【００３９】
車両用空気吹き出し装置１０は、操作部４１と、制御装置４０とを備えている。
操作部４１は、車両用空気吹き出し装置１０の吹き出しモードを設定する際に車両の乗員により操作される部分である。操作部４１としては、例えば車両のインストルメントパネル１に設けられた専用の操作部や、カーナビゲーション装置のタッチパネル等を用いることができる。操作部４１の操作情報は、制御装置４０に送信される。
【００４０】
制御装置４０は、ＣＰＵやメモリ等を有するマイクロコンピュータを中心に構成されている。制御装置４０は、操作部４１から送信される操作情報に基づいて、乗員により設定された吹き出しモードの情報を取得する。制御装置４０は、取得した吹き出しモードの情報に基づいてモータ１４ｂを駆動させることにより、フラップ１２ａ〜１２ｃのそれぞれの姿勢が吹き出しモードに応じた姿勢となるように、フラップシャフト１５ａ〜１５ｃを回転させる。
【００４１】
次に、車両用空気吹き出し装置１０の動作例について説明する。
制御装置４０は、操作部４１から送信される操作情報に基づいて、吹き出しモードがデフロストモード、第１フェイスモード、及び第２フェイスモードのいずれに設定されているかの情報を取得する。制御装置４０は、取得した吹き出しモードの情報に応じてルーバシャフト１６を回転させ、ルーバ１３の傾斜角度を調整する。これにより、吹出口１１ａから車室内に導かれる空調風の車両左右方向の広がりが調整される。
【００４２】
また、制御装置４０は、吹き出しモードがデフロストモードに設定されている場合、図５に示されるようにフラップ１２ａ〜１２ｃを通風路Ｘ内の空調風の流れ方向Ｓに平行な姿勢に設定する。
【００４３】
このようなデフロストモード時には、空調ケース２１のデフロスタ／フェイス開口部３０から車両用空気吹き出し装置１０の通風路Ｘに入った空調風はルーバ１３を通過してフラップ１２ａ〜１２ｃへと導かれ、フラップ１２ａ〜１２ｃの横を通過する。デフロストモード時には、第１フェイスモード時及び第２フェイスモード時と比較して、フラップ１２ｃとケーシング１１のコアンダ壁１１ｃとの間に形成される後方側通風部分Ｘ１の流路断面積が広くなる。したがって、後方側通風部分Ｘ１に高速の気流が十分形成されず、前側壁１１ｂに沿って上向きに気流が流れる。この結果、車両用空調装置２０で温度調整された空調風は、吹出口１１ａからフロントガラス２に向かって吹き出される。これにより、フロントガラス２の曇りを解消することができる。
【００４４】
また、制御装置４０は、吹き出しモードが第１フェイスモードに設定されている場合、図３に示されるようにフラップ１２ａ〜１２ｃのそれぞれの姿勢を設定する。すなわち、フラップ１２ａは、空調風が前側壁１１ｂに導かれるように通風路Ｘ内の空調風の流れ方向Ｓに対して傾斜した姿勢に設定される。また、フラップ１２ｂ，１２ｃは、空調風がコアンダ壁１１ｃに導かれるように通風路Ｘ内の空調風の流れ方向Ｓに対して傾斜した姿勢に設定される。
【００４５】
このような第１フェイスモード時には、デフロストモード時と比べて、後方側通風部分Ｘ１の流路断面積が狭くなる。したがって、後方側通風部分Ｘ１を流れる気流の流速をデフロストモードよりも速くさせることができる。これにより、後方側通風部分Ｘ１に高速の気流が形成される。高速の気流となった空調風は、コアンダ効果によってコアンダ面１１ｅ及びインストルメントパネル１の上面１ａに沿って流れることで、車両後方側に曲げられる。この結果、車両用空調装置２０で温度調整された空調風（例えば冷風）は、吹出口１１ａから乗員の上半身に向かって吹き出される。
【００４６】
また、第１フェイスモード時には、フラップ１２ａとケーシング１１の前側壁１１ｂとの間に形成される前方側通風部分Ｘ２にも気流が形成される。この気流の風量は、コアンダ面１１ｅに沿って流れる気流の風量よりも少量となる。この気流からなる空調風は、前側壁１１ｂに沿って車両上方へと流れ、吹出口１１ａからフロントガラス２に向かって吹き出される。これにより、空調風の大部分を乗員の上半身に向かって吹き出しつつ、少量の空調風をフロントガラス２に向かって吹き出す、いわゆるデフ漏らしを実現することができる。デフ漏らしにより、乗員の快適性を確保しつつ、フロントガラス２の曇りを解消することが可能となる。
【００４７】
さらに、制御装置４０は、吹き出しモードが第２フェイスモードに設定されている場合、図６に示されるようにフラップ１２ａ〜１２ｃのそれぞれの姿勢を設定する。すなわち、フラップ１２ａ〜１２ｃは、空調風がコアンダ壁１１ｃに導かれるように通風路Ｘ内の空調風の流れ方向Ｓに対して傾斜した姿勢に設定される。
【００４８】
このような第２フェイスモード時には、第１フェイスモード時と同様に、後方側通風部分Ｘ１に高速の気流が形成される。この高速の気流に導かれて、フラップ１２ａ〜１２ｃを通過した気流がインストルメントパネル１の上面１ａに沿って流れることで、車両後方側に曲げられる。この結果、車両用空調装置２０で温度調整された空調風（例えば冷風）は、吹出口１１ａからコアンダ面１１ｅ及びインストルメントパネル１の上面１ａに沿って流れ、乗員の上半身に向かって吹き出される。
【００４９】
以上説明した本実施形態の車両用空気吹き出し装置１０によれば、以下の（１）〜（５）に示される作用及び効果を得ることができる。
【００５０】
（１）空調風の吹き出しモードが第１フェイスモードに設定されている場合、フラップ１２ａは、空調風が前側壁１１ｂに導かれるように通風路Ｘ内の空調風の流れ方向Ｓに対して傾斜した姿勢となる。また、フラップ１２ｂ，１２ｃは、空調風がコアンダ壁１１ｃに導かれるように通風路Ｘ内の空調風の流れ方向Ｓに対して傾斜した姿勢となる。これにより、空調風の吹き出し方向を２方向に容易に設定することができる。
【００５１】
（２）フラップ１２ａ〜１２ｃは、モータ１４ｂからリンク機構１４ａを介して伝達される動力に基づいてフラップシャフト１５ａ〜１５ｃを中心に回転することにより、通風路Ｘ内の空調風の流れ方向に対する傾斜角度θ１〜θ３を変更可能である。これにより、吹き出しモードに応じて、ケーシング１１の前側壁１１ｂ及びコアンダ壁１１ｃに導かれる空調風の風量を調整することが可能となる。
【００５２】
（３）第１フェイスモード時にコアンダ壁１１ｃに空調風を導くフラップを第１フラップとし、前側壁１１ｂに空調風を導くフラップを第２フラップとすると、フラップ１２ｂ，１２ｃは第１フラップに属し、フラップ１２ａは第２フラップに属することになる。よって、第１フラップの数は第２フラップの数よりも多くなる。これにより、第１フェイスモード時に前側壁１１ｂに導かれる空調風の風量を、コアンダ壁１１ｃに導かれる空調風の風量よりも少なくすることができるため、デフ漏らしを容易に実現することができる。
【００５３】
（４）空調風の吹き出しモードがデフロストモードに設定されている場合、フラップ１２ａ〜１２ｃは、通風路Ｘ内の空調風の流れ方向Ｓに平行な姿勢となる。これにより、空調風を吹出口１１ａを介してフロントガラス２に吹き出し、フロントガラス２の曇りを晴らすデフロストモードを容易に実現することができる。
【００５４】
（５）空調風の吹き出しモードが第２フェイスモードに設定されている場合、フラップ１２ａ〜１２ｃは、空調風がコアンダ壁１１ｃに導かれるように通風路Ｘ内の空調風の流れ方向に対して傾斜した姿勢となる。これにより、空調風を車両の前席乗員の上半身のみに向けて吹き出す第２フェイスモードを容易に実現することができる。
【００５５】
なお、上記実施形態は、以下の形態にて実施することもできる。
・フラップ１２ａ〜１２ｃのうちの少なくとも１つを固定してもよい。例えば図７に示されるように、フラップ１２ａを、空調風が前側壁１１ｂに導かれるように通風路Ｘ内の空調風の流れ方向Ｓに対して傾斜した姿勢で固定してもよい。このような構成によれば、フラップ１２ｂ，１２ｃを、空調風がコアンダ壁１１ｃに導かれるように通風路Ｘ内の空調風の流れ方向Ｓに対して傾斜した姿勢に設定すれば、第１フェイスモードを実現することができる。また、図８に示されるように、フラップ１２ｂ，１２ｃを、通風路Ｘ内の空調風の流れ方向Ｓに平行な姿勢に設定すれば、デフロストモードを実現することができる。すなわち、デフロストモードと第１フェイスモードとの間で切り替え可能な車両用空気吹き出し装置１０を実現することができる。この構成の場合、フラップ１２ａを動作させるための機構が不要となるため、車両用空気吹き出し装置１０の部品点数を削減することができる。
【００５６】
・フラップの数は、複数であれば、適宜変更可能である。例えばフラップの数を２個にする場合には、上記実施形態のフラップ１２ａとフラップ１２ｃとを用いればよい。また、フラップの数を４個以上にする場合には、フラップ１２ｂ，１２ｃと同様に動作するフラップの数を増やせばよい。あるいは、フラップ１２ａと同様に動作するフラップを増やしてもよい。
【００５７】
・吹き出しモードが第１フェイスモードに設定されている場合、フラップ１２ａとフラップ１２ｃとの間に配置されるフラップ１２ｂの傾斜角度θ２を、フラップ１２ａ及びフラップ１２ｃのそれぞれの傾斜角度θ１，θ３とは異なる傾斜角度に設定してもよい。すなわち、吹き出しモードが第１フェイスモードに設定されている場合、フラップ１２ｂの姿勢を、フラップ１２ａ及びフラップ１２ｃと異なる姿勢に設定してもよい。この場合、フラップ１２ｃが第１フラップに相当し、フラップ１２ａが第２フラップに相当する。また、フラップ１２ｂが、フラップ１２ａ及びフラップ１２ｃと異なる態様で動作する第３フラップに相当する。このような構成によれば、吹き出しモードに応じてフラップ１２ｂの姿勢を適宜調整することにより、コアンダ面１１ｅに導かれる空調風及び前側壁１１ｂに導かれる空調風のそれぞれの風量や風向を調整することができる。すなわち、前席乗員の上半身に向かって吹き出される空調風、及びフロントガラス２に向かって吹き出される空調風のそれぞれの風量や風向を調整することができる。
【００５８】
・フラップ１２ａ〜１２ｃの形状や駆動方式は適宜変更可能である。例えばフラップ１２ａ〜１２ｃは、回転により空調風の吹き出し方向を変更するものに限らず、通風路Ｘ内において空調風の流れ方向Ｓに対して直交する方向にスライド移動することにより、すなわちその位置を変化することにより、空調風の吹き出し方向を変更するものであってもよい。
【００５９】
・車両用空気吹き出し装置１０の構造は適宜変更可能である。例えば車両用空気吹き出し装置１０は、ルーバ１３が設けられていない構造であってもよい。
【００６０】
・デフロストモードとは異なる態様で空調風を吹き出す別モードは、第１フェイスモード及び第２フェイスモードに限らず、任意の吹き出しモードを採用することができる。この種の別モードとしては、例えば前席乗員の上半身から若干ずれた位置に向けて空気を吹き出すモード等がある。
【００６１】
・制御装置４０が提供する手段及び／又は機能は、実体的な記憶装置に記憶されたソフトウェア及びそれを実行するコンピュータ、ソフトウェアのみ、ハードウェアのみ、あるいはそれらの組み合わせにより提供することができる。例えば制御装置４０がハードウェアである電子回路により提供される場合、それは多数の論理回路を含むデジタル回路、またはアナログ回路により提供することができる。
【００６２】
・本発明は上記の具体例に限定されるものではない。すなわち、上記の具体例に、当業者が適宜設計変更を加えたものも、本発明の特徴を備えている限り、本発明の範囲に包含される。例えば、前述した各具体例が備える各要素及びその配置、材料、条件、形状、サイズ等は、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００６３】
Ｘ：通風路
２：フロントガラス
１０：車両用空気吹き出し装置
１１：ケーシング
１１ａ：吹出口
１１ｃ：コアンダ壁（一側壁）
１１ｂ：前側壁（他側壁）
１１ｅ：コアンダ面
１２ａ，１２ｂ，１２ｃ：フラップ
２０：車両用空調装置
【図１】
2017149302.tif 000003
【図２】
2017149302.tif 000004
【図３】
2017149302.tif 000005
【図４】
2017149302.tif 000006
【図５】
2017149302.tif 000007
【図６】
2017149302.tif 000008
【図７】
2017149302.tif 000009
【図８】
2017149302.tif 000010